(57)【特許請求の範囲】
【請求項１】
投入口を介して回転ドラム式の貯留機の内部に塵芥を投入可能とする塵芥投入装置において、
内面が側面視で凹状の曲面を有した底板部を備え、前記投入口の下辺又は上辺に沿う第一回動軸を介して第一支持部に取り付けられることで、前記投入口を開放して前記塵芥を受け入れ可能とする開放位置と、前記投入口を閉塞する閉塞位置との間で回動可能とされた外側蓋部と、
前記第一回動軸よりも前記投入口の内側に配置される第二回動軸を介して第二支持部に取り付けられることで、前記塵芥を受け入れる受入位置と前記塵芥を前記貯留機側に投入する投入位置との間で回動可能とされるとともに、前記投入位置にある場合に前記貯留機内に塵芥を導くシュート板部と、前記受入位置から前記投入位置に回動する際に前記塵芥を前記シュート板部に案内する案内板部とを有し、開放位置から閉塞位置に回動する中間位置になるまで、前記案内板部の前端部が前記外側蓋部の底板部の前記凹状の曲面に沿って摺動可能な内側蓋部と、
前記外側蓋部を開放位置に回動させた場合に前記内側蓋部を前記受入位置に回動させるとともに、前記外側蓋部を前記閉塞位置に回動させた場合に前記内側蓋部を前記投入位置に回動させるリンク機構と、を備え、
前記リンク機構は、前記内側蓋部が前記外側蓋部を押圧する方向に付勢する付勢手段を備えることを特徴とする塵芥投入装置。
【請求項２】
前記第二回動軸は、前記第一回動軸よりも上方に配置されることを特徴とする請求項１に記載の塵芥投入装置。
【請求項３】
前記外側蓋部は、
前記受入位置に回動させた場合に、水平位置よりも下側位置まで回動されることを特徴とする請求項１又は２に記載の塵芥投入装置。
【請求項４】
前記外側蓋部は、該外側蓋部と前記内側蓋部との開時および閉時の重量バランスにより開状態および閉状態で保持されることを特徴とする請求項１乃至３の何れか一項に記載の塵芥投入装置。
【請求項５】
請求項１乃至４の何れか一項に記載の塵芥投入装置と、前記回転ドラム式の貯留機とを備える塵芥貯留システム。
【発明の詳細な説明】
【技術分野】
【０００１】
この発明は、回転ドラム式の貯留機へ塵芥を投入する塵芥投入装置および該塵芥投入装置を備える塵芥貯留システムに関するものである。
【背景技術】
【０００２】
マンションなどの集合住宅においては、各家庭から出る塵芥を、塵芥収集車が回収に来るまでの間、一時的に貯留する貯留機が設置されている場合がある。
この種の貯留機としては、ドラム内部に投入された塵芥を、ドラムの回転により排出口側に圧縮して貯留する回転ドラム式の貯留機が知られている。
この回転ドラム式の貯留機は、塵芥収集車の受入口に対応した高さ位置に排出口が配置されており、この排出口とは反対側に、利用者が塵芥を投入する投入口が配置されている。
利用者が投入口から投入した塵芥は、スライダーを介して斜め下方に滑り落ちることでドラム内に導入され、ドラム内で排出口側へと圧縮されて貯留された後、排出口を介して塵芥収集車に受け渡される。
このような回転ドラム式の貯留機においては、塵芥収集車に塵芥を受け渡す排出口の高さを基準として貯留機の設置レベルが決められているため、投入口の位置が比較的高い位置となり、背の低い人が塵芥を投入し難くなっていた。
そのため、投入口に向けて昇降台や、階段等を設けて嵩上げすることが行われている（例えば、特許文献１参照）。
また、背の低い人であっても塵芥の投入を行い易いように、塵芥を比較的低い位置で受け取った後、モータ等の動力により上方に搬送して、貯留機の投入口へ反転投入する投入装置を備えたものが提案されている（例えば、特許文献２参照）。
【先行技術文献】
【特許文献】
【０００３】
【特許文献１】特許第４２５１６３８号公報
【特許文献２】特許第４３４５９２３号公報
【発明の概要】
【発明が解決しようとする課題】
【０００４】
しかしながら、上述した昇降台や階段を設けている場合、昇降台や階段の昇り降りが高齢者などにとって負担になるとともに、昇降台や階段が邪魔になって車椅子の利用者が投入口へ接近し難くなるという課題がある。
さらに、塵芥を上方に搬送する投入装置を設けている場合、低い位置で塵芥を投入できるものの、装置が複雑化してコストが上昇してしまうと共に、装置が大型化しての設置自由度が低下してしまうという課題がある。
【０００５】
また、上述した塵芥を円滑に滑り落とすためには、スライダーの傾斜角度を十分に立てる必要があるが、上述した回転ドラム式の貯留機の場合、投入口の内側直下に、汚汁や臭いの漏出を防止する漏出防止機構が配置されているため、単に投入口の位置を低くしようとすると、漏出防止機構が邪魔になって、スライダーの傾斜角度を確保するのが困難となってしまう。
【０００６】
この発明は、上記事情に鑑みてなされたものであり、装置が複雑化してコストが上昇したり設置自由度が低下することなく投入口を低位置に配置して、高齢者や車椅子の利用者であっても塵芥を投入し易い塵芥投入装置および塵芥貯留システムを提供するものである。
【課題を解決するための手段】
【０００７】
上記の課題を解決するために、以下の構成を採用する。
本発明に係る塵芥投入装置は、投入口を介して回転ドラム式の貯留機の内部に塵芥を投入可能とする塵芥投入装置において、内面が側面視で凹状の曲面を有した底板部を備え、前記投入口の下辺又は上辺に沿う第一回動軸を介して第一支持部に取り付けられることで、前記投入口を開放して前記塵芥を受け入れ可能とする開放位置と、前記投入口を閉塞する閉塞位置との間で回動可能とされた外側蓋部と、前記第一回動軸よりも前記投入口の内側に配置される第二回動軸を介して第二支持部に取り付けられることで、前記塵芥を受け入れる受入位置と前記塵芥を前記貯留機側に投入する投入位置との間で回動可能とされるとともに、前記投入位置にある場合に前記貯留機内に塵芥を導くシュート板部と、前記受入位置から前記投入位置に回動する際に前記塵芥を前記シュート板部に案内する案内板部とを有し、開放位置から閉塞位置に回動する中間位置になるまで、前記案内板部の前端部が前記外側蓋部の底板部の前記凹状の曲面に沿って摺動可能な内側蓋部と、前記外側蓋部を開放位置に回動させた場合に前記内側蓋部を前記受入位置に回動させるとともに、前記外側蓋部を前記閉塞位置に回動させた場合に前記内側蓋部を前記投入位置に回動させるリンク機構と、を備え、前記リンク機構は、前記内側蓋部が前記外側蓋部を押圧する方向に付勢する付勢手段を備えることを特徴とする。
このようにすることで、外側蓋部が閉塞位置にされ、リンク機構を介して内側蓋部が投入位置となったときに、内側蓋部が外側蓋部よりも投入口の内側に配置されるので、投入口の位置を従来よりも低い位置に配置した場合であっても、例えば、塵芥が円滑に滑り落ちる十分に立った急角度に投入用スライダーの傾斜角度を維持しつつ、投入用スライダーが、例えば、投入用スライダーの下方に配置され汚汁などの漏出を防止する漏出防止機構等に干渉するのを避けることができる。さらに、投入用スライダーと同様に、シュート板部の傾斜角度を十分に立った急角度に設定することができるので、シュート板部への塵芥の付着を防止することができる。
さらに、外側蓋部を開放位置から閉塞位置に回動させる際に、塵芥が外側蓋部から内側蓋部へ受け渡されて移動することとなるが、この塵芥が移動する際に、内側蓋部が外側蓋部を押圧して内側蓋部と外側蓋部との間に隙間が生じるのを防止することができるため、円滑に塵芥を外側蓋部から内側蓋部へと移動させることができる。
【０００８】
さらに、本発明の塵芥投入装置は、上記塵芥投入装置において、前記第二回動軸を、前記第一回動軸よりも上方に配置してもよい。
このようにすることで、第一回動軸のみを低い位置に配置することができるため、開放位置における外側蓋部をより低い位置にすることができる。また、内側蓋部を相対的に高い位置に配置することができるため塵芥がシュート板部を滑り落ちる際の落差を確保して、シュート板部の傾斜角度をより急角度にすることができる。また、外側蓋部の回動範囲よりも内側蓋部の回動範囲を相対的に大きくすることができるため、受入位置において、シュート板部を貯留機の内部へ通じる通路を塞ぐように案内板部よりも上側にはね上げて配置することができ、これにより貯留機内部への意図しない落下を防止したり、貯留機の内部が利用者の目に触れないように目隠しすることができる。
【０００９】
さらに、本発明の塵芥投入装置は、上記塵芥投入装置において、前記外側蓋部は、前記開放位置に回動させた場合に、水平位置よりも下側位置まで回動されるようにしてもよい。
このようにすることで、外側蓋部を開放位置に回動させた場合に、外側蓋部をより低い位置に配置させることができるため、塵芥を投入する際に、利用者が塵芥を持ち上げる高さがより低くなり、更なる利用者の負担軽減を図ることができる。
【００１０】
さらに、本発明の塵芥投入装置は、上記塵芥投入装置において、前記外側蓋部は、該外側蓋部と前記内側蓋部との開時および閉時の重量バランスにより開状態および閉状態で保持されるようにしてもよい。
このようにすることで、外側蓋部および内側蓋部を、保持機構を別途設けることなしに、閉状態に保持することができると共に、外側蓋部を受入位置にして塵芥を収容させる際には、利用者が外側蓋部を押さえ続ける必要が無いため、塵芥を投入する際の利用者の負担を軽減することができる。
【００１２】
また、本発明の塵芥貯留システムは、上記本発明の塵芥投入装置と、回転ドラム式塵芥貯留機とを備えることを特徴としている。
このようにすることで、投入口の高さ位置を低くすることが困難な回転ドラム式の貯留機であっても投入口の高さ位置を低下させることができるため、高齢者や車椅子の利用者がより快適に利用することができる。
【発明の効果】
【００１３】
本発明に係る塵芥投入装置および、該塵芥投入装置を備える塵芥貯留システムによれば、外側蓋部を閉塞位置にすることで、リンク機構を介して内側蓋部が投入位置になり、この際、第一回動軸よりも第二回動軸が投入口の内側に配置されている分だけ、内側蓋部が外側蓋部よりも投入口の内側に配置されることとなる。そのため、投入口の位置を従来よりも低い位置に配置した場合に、投入口から塵芥を滑り落とす投入用スライダーを、十分に立った傾斜角度に設定しつつ、例えば、投入用スライダーの下方に配置され汚汁などの漏出を防止する漏出防止機構等を避けて投入用スライダーを配置することができる。したがって、装置の複雑化によるコスト上昇や設置自由度が低下するのを防止しつつ、投入口を低位置に配置して昇降台や階段等を省略することができるため、高齢者や車椅子の利用者が容易に塵芥を投入することが可能になる。
【図面の簡単な説明】
【００１４】
【図１】本発明の実施形態における塵芥貯留システムの側面図である。
【図２】本発明の実施形態における塵芥投入装置の斜視図である。
【図３】上記塵芥投入装置の投入口が開放された状態を示す側面図である。
【図４】上記塵芥投入装置の投入口が閉塞された状態を示す側面図である。
【図５】上記塵芥投入装置の正面図である。
【図６】従来の投入用スライダー、投入口、および、漏出防止機構の位置関係を示す図である。
【図７】本発明の実施形態における図６に相当する図である。
【図８】第一変形例における図３に相当する側面図である。
【図９】第二変形例における図３に相当する側面図である。
【図１０】第二変形例における図４に相当する側面図である。
【発明を実施するための形態】
【００１５】
次に、この発明の実施形態における塵芥投入装置１および、該塵芥投入装置１を備えた塵芥貯留システム１００について図面を参照しながら説明する。
図１は、この実施形態の塵芥貯留システム１００を示す側面図であり、この図１に示す塵芥貯留システム１００は、主に、塵芥を内部に貯留する貯留機２と、該貯留機２の内部へ塵芥を投入するための塵芥投入装置１とを備えて構成される。
【００１６】
貯留機２は、家庭で出た塵芥等を一時的に収容する装置であり、塵芥投入装置１は、貯留機２に塵芥を投入するための装置である。
貯留機２は、その一端側から塵芥が投入可能とされる一方、投入された塵芥を他端側から強制的に排出可能となっており、略円筒状の貯留本体部３と、この貯留本体部３を支持するフレーム部４とを備えている。フレーム部４は、貯留機２を下方から支える水平フレーム部５を備えており、この水平フレーム部５には、貯留本体部３の軸線に平行な回動軸を有する左右一対のローラー６が、貯留本体部３の軸方向に十分に離間してそれぞれ設けられている。これらローラー６の上には、貯留本体部３が載置されて、ローラー６の回動により、貯留本体部３がその軸回りに回転可能な状態でフレーム部４に支持される。なお、以下の説明では、貯留本体部３の軸線方向において、塵芥を排出する側を単に排出側、塵芥が投入される側を単に投入側と称する。
【００１７】
水平フレーム部５の排出側には、貯留本体部３の軸線と平行な出力軸８を有する電動機７が取り付けられており、この電動機７の出力軸８の軸端部に取り付けられたプーリー９と、貯留本体部３の排出側に形成された傾斜部１０の外周との間にベルト１１が掛け回されている。電動機７を作動させることで、その回転動力がベルト１１を通じて貯留本体部３に伝達されて貯留本体部３が回動される。なお、ベルト１１を介して電動機７と貯留本体部３とを連係させる場合について説明したが、電動機７と貯留本体部３とを歯車機構を用いて連係することで貯留本体部３を回転駆動するようにしてもよい。
【００１８】
貯留本体部３の内部には、螺旋翼（図示せず）などの押し込み機構が設けられており、この押し込み機構によって貯留本体部３が所定の圧縮方向に回動されると、貯留本体部３の内部に投入された塵芥が排出方向へ押し込まれて圧縮されるようになっている。
【００１９】
水平フレーム部５には、下方に向かって脚部１２が突出して設けられており、この脚部１２の長さを変化させることで貯留機２の設置レベル（フロアからの高さ）が調整可能になっている。通常、貯留機２の設置レベルは、貯留機２の排出口１３が塵芥収集車１５の受入口１４に対応した高さとなるように設定され、より具体的には、排出口１３から塵芥収集車１５の受入口１４に塵芥を円滑に受け渡すことが可能な高さとなるように設定される。
【００２０】
水平フレーム部５の排出側の端部には、鉛直上方に延びる縦フレーム部１６が立設されており、この縦フレーム部１６の上下略中央に貯留本体部３の排出口１３が支持されている。さらに、縦フレーム部１６には、電動機や油圧シリンダーなどによって排出口１３を開閉する出口開閉機構１７が設けられるとともに、排出口１３から排出された塵芥を塵芥収集車１５の受入口１４まで滑り落とすためのスライダー１８が取り付けられている。
上述した構成によれば、塵芥収集車１５の受入口１４がスライダー１８に対して適正な位置に配置された状態で、電動機７を駆動して貯留本体部３を回動させ、出口開閉機構１７により排出口１３を開放すると、貯留本体部３の内部に貯留されて排出側に圧縮された塵芥が、排出口１３から強制的に排出されて、スライダー１８を滑り落ちて塵芥収集車１５の受入口１４に導入されることとなる。
【００２１】
貯留機２は、貯留本体部３の投入側に建屋等の構造物の壁部２０が隣接するように配置されており、この壁部２０には、略矩形の孔２０ａが穿設され、この孔２０ａに、塵芥を貯留機２内部へ投入するための投入口２１を有した塵芥投入装置１が取り付けられている。そして、塵芥投入装置１から貯留機２の内部下側に向かって、所定の傾斜角度（好ましくは４５度以上）を有した投入用スライダー２２が取り付けられ、その下端が貯留本体部３の内部に臨んでいる。ここで、上記所定の傾斜角度とは、投入口２１から投入された塵芥が、投入用スライダー２２を円滑に滑り落ちることができる傾斜角度である。
【００２２】
図２は、この実施形態における塵芥投入装置１の斜視図であり、図３は、外側蓋部２６が開放位置の場合の側面図、図４は、外側蓋部２６が閉塞位置の場合の側面図、図５は、外側蓋部２６が閉塞位置の場合の正面図である。
図２〜図５に示す如く、壁部２０に形成された孔２０ａの内周面にはブラケット２３ａが取り付けられ、このブラケット２３ａに、投入口２１の周壁を形成する額縁部２３ｂがビス等により固定されている。額縁部２３ｂの内面には、投入口２１の上方および下方から排出側に向かって突出する突出部２３ｅ，２３ｆが形成され、これら突出部２３ｅ，２３ｆ間に掛け渡されるように、投入口２１の左辺および右辺に沿って延在する一対の支持部材２３ｃが取り付けられている。なお、突出部２３ｅには、後述するシュート板部３８用の緩衝材としてクッションゴム２７が取り付けられている。
【００２３】
支持部材２３ｃの下部外側の第一支持部２４には、投入口２１の下辺に沿う（換言すれば、投入口２１の下端近傍に設けられ略水平な）第一回動軸２５を介して外側蓋部２６が回動可能に取り付けられている。
さらに、支持部材２３ｃの、第一支持部２４よりも投入口２１の内側には、第二支持部２９が設けられ、この第二支持部２９には、第一回動軸２５と略平行な第二回動軸２８を介して、内側蓋部３０が回動可能に取り付けられている。つまり、第二回動軸２８は、第一回動軸２５よりも投入口２１の内側に配置されている。なお、額縁部２３ｂには、投入口２１の上方に、塵芥の投入禁止状態および投入可能状態を利用者に報知する報知装置２３ｄが取り付けられている。
【００２４】
外側蓋部２６は、上記第一回動軸２５を介して第一支持部２４に支持されることで、投入口２１を開放する開放位置（図３参照）と、投入口２１を閉塞する閉塞位置（図４参照）との間で回動可能とされている。
【００２５】
外側蓋部２６は、開放位置で略水平になる底板部３３と、この底板部３３の左右端縁から立ち上がる左右一対の側板部３５と、底板部３３の前方側から立ち上がり側板部３５間に亘って配置される略帯状の前板部３４とを備えて構成され、これら底板部３３、側板部３５、および、前板部３４によって、塵芥ｇを受入可能なバケットの少なくとも一部を構成する受入部３２が構成されている。底板部３３は、第一回動軸２５に向かって徐々に厚さが増すように形成されると共に、前板部３４に向かって徐々に厚さが増加するように形成され、これにより、底板部３３の内面が側面視で略凹状の曲面を呈している。
【００２６】
底板部３３の外面には、前板部３４の近傍に、外側蓋部２６を回動操作するための操作ハンドル部３６が取り付けられている。このように第一回動軸２５から離間した位置に操作ハンドル部３６を配置することで、外側蓋部２６をより小さな作動力で開閉させることが可能となっている。なお、図２〜図４に示す操作ハンドル部３６の形状は一例であって、外側蓋部２６を回動操作できる形状であれば、図２〜図４に示す操作ハンドル部３６の形状に限られるものではない。
【００２７】
ここで、図３を参照し、外側蓋部２６を開放位置とした場合、塵芥ｇが投入される外側蓋部２６の受入部３２が、投入口２１の外側に位置されるとともに、受入部３２が上側を向く状態となる。これにより塵芥ｇを受入部３２に受け入れることが可能な状態となる。
一方、図４を参照し、外側蓋部２６を閉塞位置とした場合には、外側蓋部２６の受入部３２が、投入口２１の内側（投入口２１の外縁よりも内側）に位置され、且つ、受入部３２が投入口２１の内側を向く立ち姿勢となる。
【００２８】
内側蓋部３０は、貯留機２内に塵芥ｇを導くシュート板部３８と、外側蓋部２６の受入部３２の塵芥ｇをシュート板部３８に案内する案内板部３９とを有しており、これらシュート板部３８と案内板部３９との角度が、１３５度程度の鈍角となるように設定されている。また、内側蓋部３０は、シュート板部３８と案内板部３９との左右両側に、シュート板部３８と案内板部３９との側縁から立ち上がる一対の内側側板部４０を有している。
【００２９】
内側蓋部３０は、上記第二回動軸２８を介して第二支持部２９に支持されていることで、塵芥ｇを受け入れる受入位置と、塵芥を貯留機２側に投入する投入位置との間で回動可能とされ、投入位置においては、案内板部３９が略鉛直な位置に配置されて、シュート板部３８が水平位置に対して４５度以上下側に傾斜して配置される。これにより、受入位置から投入位置に回動された際に、案内板部３９からシュート板部３８に案内された塵芥ｇが、貯留機２側に円滑に滑り落ちることとなる。
【００３０】
内側蓋部３０と外側蓋部２６とは、左右側部において、リンク部材４２により連係されている。より具体的には、内側蓋部３０の各内側側板部４０と外側蓋部２６の側板部３５との間にリンク部材４２が掛け渡されて、それぞれ内側側板部４０との接続部４３、および外側蓋部２６の側部との接続部４４において、上記第一回動軸２５と略平行な回動軸４５を介して回動可能に支持されている。
このリンク部材４２によって、外側蓋部２６を開放位置に回動させた場合には、内側蓋部３０が受入位置に回動され、外側蓋部２６を閉塞位置に回動させた場合には、内側蓋部３０が投入位置に回動されることとなる。
【００３１】
リンク部材４２は、長手方向に伸縮可能なコイルスプリングなどの付勢手段４２ａを備えており、この付勢手段４２ａにより、例えば、内側蓋部３０が外側蓋部２６に近接する側に付勢されている。この付勢手段４２ａによって、外側蓋部２６が開放位置から閉塞位置に回動する中間位置になるまで、内側蓋部３０の案内板部３９の端部が外側蓋部２６の底板部３３を押圧した状態で底板部３３の曲面に沿って摺動されることとなる。ここで、上記中間位置とは、例えば、外側蓋部２６が水平方向に対して４５度程度となる位置である。
これにより、受入部３２内の塵芥ｇが案内板部３９に移動するまでの間、底板部３３と案内板部３９との間に隙間が生じるのを防止でき、これにより、塵芥ｇを円滑に案内板部３９に移動させることが可能になっている。
【００３２】
ここで、付勢手段４２ａにより付与される力、すなわち案内板部３９が底板部３３を押圧する押圧力は、比較的小さな押圧力に設定されている。外側蓋部２６が開放位置から閉塞位置に回動する際に、中間位置を越えて内側蓋部３０の重心位置Ｇが第二回動軸２８よりも貯留本体部３側に移動すると、内側蓋部３０に作用する重力によって内側蓋部３０が投入位置まで回動しようとするが、このとき作用する力が付勢手段４２ａによる押圧力を超えるように設定されている。
【００３３】
これにより、外側蓋部２６が開放位置から閉塞位置に回動する際に、上記中間位置を越えると、案内板部３９と底板部３３とが徐々に離間され、そして、案内板部３９と底板部３３とが離間されると、案内板部３９がより急傾斜な立ち姿勢となるため、案内板部３９にある塵芥ｇが、シュート板部３８に案内されて、シュート板部３８を滑り落ち、投入用スライダー２２を介して貯留本体部３の内部に収容されることとなる。
【００３４】
また、内側蓋部３０の第二回動軸２８は、外側蓋部２６の第一回動軸２５よりも上側（より高い位置）に配置されている。このようにすることで、外側蓋部２６よりも内側蓋部３０の回動範囲をより大きくすることが可能になっている。具体的には、外側蓋部２６が開放位置にされた場合に、外側蓋部２６の底板部３３は略水平位置で保持されるが、内側蓋部３０の案内板部３９は、第一回動軸２５と第二回動軸２８との高さ位置の差分だけ水平よりもやや前傾する位置まで回動可能となる。これにより、閉塞位置から開放位置まで外側蓋部２６が略９０度回動した場合に、内側蓋部３０は、投入位置から受入位置までの間に９０度以上（例えば、９７度程度）回動可能となる。
【００３５】
上記のように、内側蓋部３０の回動範囲が外側蓋部２６の回動範囲よりも大きくなるように設定されていることで、受入位置におけるシュート板部３８が、投入用スライダー２２への通路を塞ぐように上方まではね上がることとなる。さらに、第二回動軸２８の方が第一回動軸２５よりも上側に配置されている分だけ、内側蓋部３０が投入位置に回動された場合に、内側蓋部３０をより高い位置に配置することができるため、シュート板部３８により塵芥ｇを滑り落とす際の十分な落差を確保することが可能となっている。
【００３６】
図３、図４に示す如く、内側蓋部３０は、第二回動軸２８方向から見た重心位置Ｇが、第二回動軸２８を通る鉛直線Ｖよりも投入口２１の外側に位置する状態で放置されると、受入位置まで回動して当該受入位置で保持される。一方、内側蓋部３０は、第二回動軸２８方向から見た重心位置Ｇが上記鉛直線Ｖよりも投入口２１の内側（貯留本体部３側）に位置する状態で放置されると、投入位置まで回動して当該投入位置で保持される。これは、外側蓋部２６よりも内側蓋部３０が十分に大きく且つ重く形成され、内側蓋部３０と外側蓋部２６との開時および閉時の重量バランスが、内側蓋部３０の重心位置Ｇによって決定されるからである。
【００３７】
ここで、図６は、従来の塵芥投入装置を用いた場合を示しており、図７は、本実施形態の塵芥投入装置１を用いた場合を示している。
これら図６、図７に示すように、回転ドラム式の貯留機２の貯留本体部３の内部には、投入用スライダー２２の直下、換言すれば、回動する貯留本体部３の外周壁と、回動しない後壁との間に、汚汁が外部に漏れるのを防止する越流壁や、臭気が外部にもれるのを防止するシール機構等を備える漏出防止機構４７が配置されている。図６に示す従来の場合は、投入用スライダー１２２を４５度以上に設定しつつ、投入用スライダー１２２が漏出防止機構４７を避けることができる高さに、投入口１２１を設ける必要があった。
【００３８】
これに対して、図７に示す本実施形態の塵芥投入装置１は、内側蓋部３０を回動させる第二回動軸２８が、外側蓋部２６を回動させる第一回動軸２５よりも投入口２１の内側に配置されている分だけ、投入用スライダー２２の傾斜角度を十分に確保しつつフロアレベルＦＬからの投入口２１の位置ｈ１を、従来の投入口１２１の位置ｈ２よりも低下させることが可能となっている。これは、第二回動軸２８が第一回動軸２５よりも投入口２１の内側に配置されていることで、投入用スライダー２２の傾斜面の上端をより貯留本体部３側に配置できるからである。
【００３９】
なお、図７中、本実施形態の投入口２１の位置に、従来の投入装置を設けた場合の投入用スライダー１２２の位置を破線で示している。この図７に示す投入用スライダー１２２の位置からも分かるように、投入用スライダー１２２の傾斜角度を確保しようとすると投入用スライダー１２２が漏出防止機構４７に干渉してしまい、一方、漏出防止機構４７への干渉を回避しようとすると投入用スライダー１２２の十分な傾斜角度を確保できなくなってしまう。
【００４０】
上述した実施形態における塵芥投入装置１および塵芥貯留システムによれば、外側蓋部２６が閉塞位置にされ、リンク部材４２を介して内側蓋部３０が投入位置となったときに、内側蓋部３０が外側蓋部２６よりも投入口２１の内側に配置されるので、投入口２１の位置を従来よりも低い位置に配置した場合であっても、投入用スライダー２２の傾斜角度を塵芥が円滑に滑り落ちる急角度に維持しつつ、投入用スライダー２２の下方に配置される漏出防止機構４７を避けて配置することができる。
さらに、投入用スライダー２２と同様に、シュート板部３８の傾斜角度が十分に立った急角度に設定することができるので、シュート板部３８への塵芥の付着を防止することができる。
【００４１】
また、第二回動軸２８を第一回動軸２５よりも上方に配置することで、外側蓋部２６の第一回動軸２５のみをより低い位置に配置することができるため、開放位置における外側蓋部２６の受入部３２をより低い位置に配置することができ、高齢者や車椅子の利用者が容易に塵芥を投入することが可能になる。
また、内側蓋部３０を相対的に高い位置に配置することができるため、塵芥ｇが滑り落ちる落差を確保して、シュート板部３８の傾斜角度をより急角度にすることができる。
【００４２】
そして、外側蓋部２６の回動範囲よりも内側蓋部３０の回動範囲を相対的に大きくすることができるため、受入位置においてシュート板部３８を案内板部３９よりも上側にはね上げて貯留機２の内部へ通じる通路を塞ぐように配置することができ、この結果、貯留機２内部への意図しない落下を防止したり、長尺な塵芥など、不適サイズの塵芥の投入を防止したり、貯留機２の内部が利用者の目に触れないように目隠しすることができる。
【００４３】
なお、この発明は上述した実施形態の構成に限られるものではなく、その要旨を逸脱しない範囲で設計変更可能である。
例えば、内側蓋部３０および外側蓋部２６の少なくとも一方と投入口２１の周縁の壁部２０との間にダンパーを設けて、内側蓋部３０および外側蓋部２６の開閉速度を制限するようにしても良い。このようにすることで、外側蓋部２６の急な動きを抑制することができるため、塵芥の投入に不慣れな利用者であっても快適に利用することができる。
また、ダンパーとして、伸び方向又は縮み方向に弾性を有するガスダンパーなどを用いて外側蓋部２６を開閉方向の何れか一方に付勢するようにしても良い。ガスダンパーの付勢力としては上述した内側蓋部３０および外側蓋部２６の開閉状態の保持を妨げることの無い程度の付勢力とするのが好ましい。このようにすることで、より少ない力で外側蓋部２６を開放又は閉塞することができるため、塵芥を投入する際の利用者の負担を軽減することができる。
【００４４】
また、上述した実施形態においては、外側蓋部２６を開放位置に回動させた場合に、外側蓋部２６の底板部３３が略水平となる位置まで回動する場合を一例に説明したが、図８に示す第一実施形態のように、外側蓋部２６を水平位置ＨＬよりも低い位置まで（例えば、１５度程度）回動させるようにしてもよい。このように構成することで、塵芥ｇを投入する際に、利用者が塵芥ｇを持ち上げる高さがより低くなり、更なる利用者の負担軽減を図ることができる。
【００４５】
さらに、上述した実施形態の塵芥投入装置１においては、投入口２１の下辺に沿う第一回動軸２５を介して第一支持部２４に支持されたいわゆる下開き式の外側蓋部２６を有する場合を一例にして説明したが、この構成に限られるものではなく、例えば、図９、図１０に示す第二変形例の塵芥投入装置２０１のように、投入口２１の上辺に沿う第一回動軸２２５を介して支持部材２３ｃ（図５参照）に支持された、いわゆる上開き式の外側蓋部２２６を採用してもよい。
【００４６】
この第二変形例の塵芥投入装置２０１における内側蓋部３０は、上述した実施形態と同様の構成であり、受入位置と投入位置との間で回動可能に軸支されており、外側蓋部２２６と内側蓋部３０とは、外側蓋部２２６を開放位置（図９参照）に回動させた場合に内側蓋部３０を受入位置に回動させるとともに、外側蓋部２２６を閉塞位置（図１０参照）に回動させた場合に内側蓋部３０を投入位置に回動させるリンク部材４２により連係されている。このように、外側蓋部２２６を上開き式とした場合、外側蓋部２２６を閉塞操作する際に、外側蓋部２２６に作用する重力を、塵芥ｇを押し込むための力として有効利用できる。
【００４７】
また、上述した実施形態の塵芥投入装置１においては、付勢手段４２ａを有したリンク部材４２を備える場合について説明したが、付勢手段４２ａを有していない、いわゆるリジッドなリンク部材を用いるようにしても良い。
【符号の説明】
【００４８】
２  貯留機
２１  投入口
２４  第一支持部
２５  第一回動軸
２６  外側蓋部
２８  第二回動軸
２９  第二支持部
３０  内側蓋部
３２  受入部
３８  シュート板部
３９  案内板部
４２  リンク部材（リンク機構）
ｇ  塵芥
【図１】
0005832231.tif 000002
【図２】
0005832231.tif 000003
【図３】
0005832231.tif 000004
【図４】
0005832231.tif 000005
【図５】
0005832231.tif 000006
【図６】
0005832231.tif 000007
【図７】
0005832231.tif 000008
【図８】
0005832231.tif 000009
【図９】
0005832231.tif 000010
【図１０】
0005832231.tif 000011